(57)【要約】【課題】  バリウムカップ内に入っているバリウム量を推定し、操作者に通知することで、バリウムの飲み残しによる診断中のバリウム流出および、バリウム流出による機器の故障防止、および飲み込んだバリウム量の不足による撮像不良、これらを防止するX線透視撮影装置を提供する。【解決手段】  本発明に係るX線透視撮影装置は、被検体にX線を照射するX線源と、前記X線源と対向配置され前記被検体の透過X線を検出するX線検出器と、前記X線検出器により検出された透過X線をX線画像に変換する画像処理部と、前記X線画像を表示する表示部と、前記被検体に飲ませる造影剤が入った容器を収容する収容具と、を備え、前記収容具は前記容器の重量を測定する重量センサを有し、前記表示部は測定した前記重量を表示することを特徴とする。【選択図】          図1
2017127403.tif 000002
【特許請求の範囲】
【請求項１】
被検体にＸ線を照射するＸ線源と、
前記Ｘ線源と対向配置され前記被検体の透過Ｘ線を検出するＸ線検出器と、
前記Ｘ線検出器により検出された透過Ｘ線をＸ線画像に変換する画像処理部と、
前記Ｘ線画像を表示する表示部と、
前記被検体に飲ませる造影剤が入った容器を収容する収容具と、を備えたＸ線透視撮影装置において、
前記収容具は前記容器の重量を測定する重量センサを有し、前記表示部は測定した前記重量を表示することを特徴とするＸ線透視撮影装置。
【請求項２】
請求項１に記載のＸ線透視撮影装置において、
前記表示部は測定した前記重量があらかじめ設定された閾値を上回っている場合に、警告メッセージを表示することを特徴とするＸ線透視撮影装置。
【請求項３】
請求項１に記載のＸ線透視撮影装置において、
測定した前記重量があらかじめ定めされた閾値を上回っている場合に、音声または発光によって警告を発することを特徴とするＸ線透視撮影装置。
【発明の詳細な説明】
【技術分野】
【０００１】
本発明は、バリウムカップを例とした造影剤容器を収納する収納器具を備えたX線透視撮影装置において、特にその容器の収納器具が、容器および容器に残っている造影剤の重量を測定し、さらにその重量を確認可能とするX線透視撮影装置に関するものである。
【背景技術】
【０００２】
X線透視撮影装置は、被検体にX線を照射し、透過X線をX線検出器で検出することで被検体のX線信号を得る。そして、X線透視撮影装置は、画像処理部でX線信号を処理することにより、表示部にX線撮影画像又はX線透視画像を表示する。
【０００３】
X線透視撮影装置を用いて行われる胃等の消化管診断では、硫酸バリウム（以下、バリウム）と発泡剤を経口投与しながら透視を行う、二重造影法と呼ばれる方法がよく行われる。バリウムは通常100 CCから300 CC程度を蓋のない容器（以下、バリウムカップ）に注ぎ、バリウムカップをX線透視撮影装置の収容具（以下、カップ受け）に入れておいたり、被検体にバリウムカップを持たせて診断を開始する。
【０００４】
バリウムカップは軽い紙素材であることが多い。X線透視撮影装置の操作者が被検体に対してバリウムを飲む量と時期を指示し、透視撮影と並行して、被検体はバリウムを服用する。まず被検体がX線透視撮影装置に乗り、診断を開始する。被検体はカップ受けからバリウムカップを取り出し、操作者の指示に従ってバリウムを一口ずつ飲む。操作者はX線透視を行いながら被検体にバリウムを飲むよう指示を出し、食道部から順次、バリウムが消化管を流れていく様子を透視する。その後、被検体はカップ内のすべてのバリウムを飲み、操作者は胃に流れたバリウムを利用して胃壁の観察などを行う。
【０００５】
空になったカップや、造影撮影中におけるバリウムが残存するカップは前記カップ受けに収容させる。この際、被検体がカップを必ずしも元のカップ受けに戻さず、その周辺の平坦部に置いてしまい、立位から水平位方向に透視台を傾動させた時、バリウム入りカップが前記平坦部から落下し、バリウム流出が生じることが多々あった。
【０００６】
また、術者（操作者）指示通りに被検体がバリウムを飲まないということもあった。特許文献1には、カップがカップ受けに収容されたことを検出することで、バリウム流出を未然に防ぐX線透視撮影台が開示されている。
【先行技術文献】
【特許文献】
【０００７】
【特許文献１】特開平10-277027号公報
【発明の概要】
【発明が解決しようとする課題】
【０００８】
しかしながら、バリウムカップがカップ受けに収容された場合でも、バリウムカップの中に残存するバリウムがある場合は、診断中に被検体がバリウムカップ受けにぶつかった際などにバリウムの流出を引き起こす可能性がある。また、バリウムを全量飲む指示を受けたにもかかわらず、被検体がバリウムの味などを嫌気して、全量飲まないままバリウムの残存したバリウムカップをカップ受けに収容してしまい、胃の中のバリウムが不足したことによる撮像不良を引き起こすことがあった。
【０００９】
本発明の目的は、カップ受けに収納された容器の重量を測定することで、バリウムカップ内に入っているバリウム量を推定し、操作者に通知することで、バリウムの飲み残しによる診断中のバリウム流出および、バリウム流出による機器の故障防止、および飲み込んだバリウム量の不足による撮像不良、これらを防止するX線透視撮影装置を提供することにある。
【課題を解決するための手段】
【００１０】
上記課題を解決するために、本発明に係るX線透視撮影装置は、被検体にX線を照射するX線源と、前記X線源と対向配置され前記被検体の透過X線を検出するX線検出器と、前記X線検出器により検出された透過X線をX線画像に変換する画像処理部と、前記X線画像を表示する表示部と、前記被検体に飲ませる造影剤が入った容器を収容する収容具と、を備え、前記収容具は前記容器の重量を測定する重量センサを有し、前記表示部は測定した前記重量を表示することを特徴とする。
【発明の効果】
【００１１】
本発明によれば、カップ受けに戻したバリウムカップの重量を検知し、操作者に伝えることで、バリウムカップに残ったバリウムが流出して、こぼれによる装置の故障を未然に防ぐことができる。また、被検体が飲んだバリウム量を知ることができ、胃内にあるバリウム量が不足していることに起因する撮像不良を未然に防ぐことができる。
【図面の簡単な説明】
【００１２】
【図１】本発明に係るX線透視撮影装置の概略構成図。
【図２】本発明に係るX線透視撮影装置の外観図。
【図３】本発明に係るX線透視撮影装置の外観図。
【図４】本発明に係るカップ受けの断面図。
【図５】本発明に係る重量センサの例。
【図６】実施例1のバリウムカップの重量表示の例。
【図７】実施例2のバリウムカップの重量表示および警告メッセージの表示の例。
【図８】実施例3の飲んだバリウム量の表示の例。
【発明を実施するための形態】
【００１３】
以下、本発明の実施の形態について図面を用いて説明する。なお、発明の実施形態を説明するための全図において、同一機能を有するものは同一符号を付け、その繰り返しの説明は省略する。
【００１４】
図1に、本発明に係るX線透視撮影装置の概略構成を示す。
【００１５】
本発明に係るX線透視撮影装置は、被検体100を載せる天板106と、被検体100にX線を照射するX線源102と、被検体100に照射するX線の照射領域を制限するX線絞り104と、X線源102に電力を供給する高電圧発生部108と、X線源102に対向する位置に配置され、被検体100を透過したX線を検出するX線検出器110と、X線検出器110から出力されたX線信号に対して画像処理を行なう画像処理部112と、画像処理部112から出力されたX線画像（透視画像を含む）を記憶する画像記憶部114と、X線画像（透視画像を含む）を表示する表示部116と、上記各構成要素を制御する制御部118と、制御部118に対して指令を行なう操作部120とを備えている。
【００１６】
X線源102は、高電圧発生器108から電力供給を受けてX線を発生させるX線管を有する。また、X線源102には、特定のエネルギーのX線を選択的に透過させるX線フィルタなどを有していてもよい。
【００１７】
X線絞り104は、X線源102から発生したX線を遮蔽する複数のX線遮蔽用鉛板を有し、複数のX線遮蔽用鉛板をそれぞれ移動することにより、被検体100に照射するX線の照射領域を決定する。
【００１８】
X線検出器110は、例えば、X線を検出する複数の検出素子が二次元アレイ状に配置されて構成されており、X線源102から照射され、被検体100を透過したX線を検出し、その量に応じたX線信号を出力する。
【００１９】
画像処理部112は、X線検出器110から出力されたX線信号に対して画像処理を行い、X線画像を出力する。画像処理には、ガンマ変換、階調変換処理、画像の拡大・縮小等がある。画像記憶部114は、画像処理部112から出力されたX線画像を記憶する。表示部116は、画像処理部112から出力されたX線画像、又は画像記憶部114に記憶されたX線画像を表示する。
【００２０】
被検体の近くに重量測定部121が取り付けられ、測定した重量値を表示部116に送信する。
【実施例１】
【００２１】
次に、図2乃至6を用い、本実施例1のX線透視撮影装置の詳細を説明する。
【００２２】
図2は胃診断で用いられるX線透視撮影装置の外観図、図3は被検体100がX線透視撮影装置に載置されている様子を示す。X線透視撮影装置は、被検体100を乗せる天板106を有し、天板106は図3に示すように、診断中にさまざまな角度に動作するようになっている。支柱203はX線源102を支持しており、その中腹にカップ受け202が設置されている。カップ受け202は被検体100が空になったバリウムカップを置けるように、被検体100の手が届く範囲に設置されていることが多い。カップ受け202と支柱203を接続している箇所は天板106の角度によらずカップ受け202を水平に保つ必要があるため、空転する軸によって取り付けられていることがある。これにより、天板106と支柱203の角度を変化させた場合にも、バリウムカップが落下したり、バリウムカップに残ったバリウムが流下することがない。
【００２３】
図4にカップ受け202の断面図、図5に重量センサの例を示す。図4に示すように、カップ受け202の底面は2重構造となっており、真ん中に窪みと配線用の穴を加工してある。窪みに重量センサ402の圧力検知部501を取り付け、配線部502を配線用の穴から外部に通し、その上に、カップ受け202の窪みにはめ合うように突起部を設けた底蓋403を被せるようになっている。重量センサ402の圧力検知部501に圧力がかかると、圧力の時間的な変化が電圧に変換され、配線部502を通じて、外部装置に重量センサ402が検知した重量の信号が伝えられる。こうして、底蓋に乗せたバリウムカップの重量を検知することができる。また、窪みのはめ合い部分にパッキンを使用すると、重量センサ402が防水されるので良い。
【００２４】
図6に、本実施例1のバリウムカップの重量表示の例を示す。重量センサ402が検知した重量は、X線透視撮影装置の操作部分にあるモニタに映し出され、操作者は、バリウムカップの重量の情報を受け取ることができる。
【００２５】
本実施例の動作は以下のようになる。
【００２６】
診断が開始されると、重量測定部から測定値が表示部に送信され、カップ受けの重量測定値が表示される。表示したあと、任意の時間が経過するまで待機し、測定値が表示部に送信され、表示される重量値が更新される。診断の間、この動作が繰り返される。
【実施例２】
【００２７】
図7に、実施例2のバリウムカップの重量表示の例を示す。実施例1と異なる点は、測定値があらかじめ設定した閾値を超えている場合に、バリウムが残っている可能性が高いという警告メッセージを表示する点である。実施例1のX線透視撮影装置において、センサが検知した重量は、図7のようにX線透視撮影装置の操作部分にあるモニタに映し出され、X線透視撮影装置の操作者は、バリウムカップの重量の情報を受け取ることができる。
【００２８】
本実施例の動作は以下のようになる。
【００２９】
診断が開始されると、カップ受けの重量測定を開始する。測定値は表示部に表示され、あらかじめ設定された任意の時間間隔で更新される。測定された重量が、あらかじめ設定された閾値を上回っている場合には、バリウムカップにバリウムが残っていることを警告するメッセージを表示部に表示する。測定された重量が、閾値になると、メッセージは消去される。
【００３０】
また本実施例の別形態として、測定した重量があらかじめ定められた閾値を上回った場合、警告メッセージを表示する代わりに、ブザー音または音声または発光によって、バリウムカップにバリウムが残っている恐れがあることを操作者に通知する。
【実施例３】
【００３１】
図8に、実施例3の表示の例を示す。実施例1及び実施例2と異なる点はカップ受けにあらかじめ、バリウムが入ったカップの重量を記憶させておき、被検体がバリウムを飲んだ後で、カップ受けに置いたカップ重量との差分を、被検体が飲んだバリウム量として表示部に表示する。
【００３２】
実施例1のX線透視撮影装置において、バリウムを入れたバリウムカップは、あらかじめカップ受けに配置した状態で診断が開始される。このとき、カップの重量を測定し、記憶しておく。診断が開始されると、被検体はカップ受けからバリウムの入ったカップを取り出し、操作者の指示に従ってバリウムを飲み、バリウムを全量飲んだ後でカップ受けに戻す。図8に示すように、カップ受けに戻したバリウムカップの重量を、記憶していたバリウムカップ重量から差し引いた値を表示部に被検体が飲んだバリウム量として表示する。
【００３３】
これまで説明した構成はあくまで一例であり、本発明は、技術思想を逸脱しない範囲内で適宜変更が可能である。
【符号の説明】
【００３４】
100  被検体、102  X線源、104  X線絞り、106  天板、108  高電圧発生部、110  X線検出器、112  画像処理部、114  画像記憶部、116  表示部、118  制御部、120  操作部、121  重量測定部、106  天板、202  カップ受け、203  支柱、100  被検体、402  重量センサ、403  底蓋、501  圧力検知部、502  配線部
【図１】
2017127403.tif 000003
【図２】
2017127403.tif 000004
【図３】
2017127403.tif 000005
【図４】
2017127403.tif 000006
【図５】
2017127403.tif 000007
【図６】
2017127403.tif 000008
【図７】
2017127403.tif 000009
【図８】
2017127403.tif 000010